(57)【特許請求の範囲】
【請求項１】
ドア関連部品を装着するモジュールブラケットと、
前記モジュールブラケットと一体に形成されて、車体に連結されたスライダが移動可能に結合されたドアレールと、を含み、
前記ドアレールは、ドアインナーパネルに固定されるように装着され、
前記ドアレールは、前記ドアインナーパネルより車室内側に突出するように形成され、車両の長手方向に沿って延びるように形成されて、前方先端部及び後方先端部をそれぞれ含み、前記前方先端部及び後方先端部はマウンティングブラケットを通して前記ドアインナーパネルに装着され、
前記ドアレールは、直角ブロック形状をしたレールボディと、前記レールボディに一体に形成されて、車両の高さ方向に沿った上部に配置された上部ガイドレールと、車両の高さ方向に沿った下部に配置された下部ガイドレールと、をそれぞれ含み、
前記ドアレールには、スライダがドアレールに沿って移動可能に結合され、前記スライダにはスイングアームの一端が相対回転可能に締結され、前記スイングアームの他端は車体に相対回転可能に締結され、
前記上部ガイドレールと前記下部ガイドレールには、それぞれ補強部材がインサートされ、
前記スライダは、前記上部ガイドレールと前記下部ガイドレールがそれぞれ挿入される２つのスライダブロックと、前記２つのスライダブロックにそれぞれインサートされ、前記上部ガイドレールと前記下部ガイドレールにそれぞれ接触してローリング移動する複数個のローラと、前記２つのスライダブロックを連結して固定し、前記スイングアームの一端が相対回転可能に締結される支持ブラケットと、を含み、
前記マウンティングブラケットは、前記上部ガイドレールと前記下部ガイドレールがそれぞれ挿入されて支持される円弧形状の２つの支持溝と、前記２つの支持溝の間に配置されて、前記レールボディに面着して前記レールボディを支持する支持フランジと、前記支持溝からそれぞれ延びるように形成されて、前記ドアインナーパネルに締結される締結フランジと、を含むことを特徴とする車両用スライディングドアのモジュール構造。
【請求項２】
前記モジュールブラケット及び前記ドアレールは、プラスチック素材で一体に射出成形されることを特徴とする請求項１に記載の車両用スライディングドアのモジュール構造。
【請求項３】
前記マウンティングブラケットは、直角プレート形状に形成され、その長手方向に沿った両側先端部が、前記ドアインナーパネルに車両の高さ方向に上部及び下部で締結され、前記ドアレールの前記前方先端部及び前記後方先端部は、それぞれ前記マウンティングブラケットと前記ドアインナーパネルとの間に挿入されて支持されることを特徴とする請求項１に記載の車両用スライディングドアのモジュール構造。
【発明の詳細な説明】
【技術分野】
【０００１】
本発明は、車両用スライディングドアのモジュール構造に係り、より詳しくは、スライディングドアに装着されるセンターレールがドアモジュールブラケットに一体化されてドアインナーパネルに装着され、スライディングドアの組立性及び強度を向上させることができる車両用スライディングドアのモジュール構造に関する。
【背景技術】
【０００２】
一般に、車両には、運転者及びその同乗者が搭乗する所定の大きさの車室が形成されており、該車室を開閉するために、車体には車室開閉ドアが設けられている。
車室開閉ドアは、乗用車の場合に、車両の長手方向に沿って前方に取付けられたフロントドアと、車両の長手方向に沿って後方に取付けられたリアドアとを具備し、フロントドア及びリアドアは、一般的に車体にヒンジを媒介として回転可能に取付けられている。
多くの人が乗合可能な乗合自動車の場合には、車室開閉ドアが車両の長手方向に沿って前後にスライド運動しながら、車室を開閉するようになっている。
乗合自動車のスライド式車室開閉ドアは、車室開閉ドアが車両の長手方向に沿って後方に移動して車室を開放する反面、車両の長手方向に沿って前方に移動して車室を閉鎖するようになっているので、乗用車のようなヒンジ式車室開閉ドアよりもドア開閉に必要な開閉必要空間が小さく、狭い開閉必要空間においても車体に形成したドア開口部を完全に開放することができるという長所がある。
【０００３】
ところが、従来のスライド式車室開閉ドアは、ドアを開閉する過程で、ドアの上部、中部、及び下部をそれぞれ支持する３つの支持及び案内レールと、その関連部品を要するため、車両の重量と部品数を増加させ、かつ車両のデザイン自由度を低下させる欠点があった。  そのために、最近は、スライディングドアに装着されたセンターレール及び車体に装着された下部レールのみにより、スライディングドアが案内及び支持されるようにして、スライディングドアのレール個数及びその関連部品数を減らすことで、生産性及び燃費向上を追求する車両用スライディングドア装置が開発されている。このような車両用スライディングドア装置において、センターレールをモジュール化させてスライディングドアの組立性及び生産性を向上させ、かつスライディングドアの剛性を増大させる必要があった。
【先行技術文献】
【特許文献】
【０００４】
【特許文献１】特開２００１−３４１５２８号公報
【発明の概要】
【発明が解決しようとする課題】
【０００５】
本発明は、上記の問題点に鑑みてなされたものであって、本発明の目的は、スライディングドアに装着されるセンターレールをモジュール化して、２レール式車両用スライディングドア装置の組立性及び生産性を向上させ、かつスライディングドアの剛性を増大させて側面衝突に効果的に対応できる車両用スライディングドアのモジュール構造を提供することにある。
【課題を解決するための手段】
【０００６】
上記課題を解決するための本発明の車両用スライディングドアのモジュール構造は、ドア関連部品を装着するモジュールブラケットと、前記モジュールブラケットと一体に形成されて、車体に連結されたスライダが移動可能に結合されたドアレールと、を含み、前記ドアレールは、ドアインナーパネルに固定されるように装着され、前記ドアレールは、前記ドアインナーパネルより車室内側に突出するように形成され、車両の長手方向に沿って延びるように形成されて、前方先端部及び後方先端部をそれぞれ含み、前記前方先端部及び後方先端部はマウンティングブラケットを通して前記ドアインナーパネルに装着され、前記ドアレールは、直角ブロック形状をしたレールボディと、前記レールボディに一体に形成されて、車両の高さ方向に沿った上部に配置された上部ガイドレールと、車両の高さ方向に沿った下部に配置された下部ガイドレールと、をそれぞれ含み、前記ドアレールには、スライダがドアレールに沿って移動可能に結合され、前記スライダにはスイングアームの一端が相対回転可能に締結され、前記スイングアームの他端は車体に相対回転可能に締結され、前記上部ガイドレールと前記下部ガイドレールには、それぞれ補強部材がインサートされ、前記スライダは、前記上部ガイドレールと前記下部ガイドレールがそれぞれ挿入される２つのスライダブロックと、前記２つのスライダブロックにそれぞれインサートされ、前記上部ガイドレールと前記下部ガイドレールにそれぞれ接触してローリング移動する複数個のローラと、前記２つのスライダブロックを連結して固定し、前記スイングアームの一端が相対回転可能に締結される支持ブラケットと、を含み、前記マウンティングブラケットは、前記上部ガイドレールと前記下部ガイドレールがそれぞれ挿入されて支持される円弧形状の２つの支持溝と、前記２つの支持溝の間に配置されて、前記レールボディに面着して前記レールボディを支持する支持フランジと、前記支持溝からそれぞれ延びるように形成されて、前記ドアインナーパネルに締結される締結フランジと、を含むことを特徴とする。
【０００８】
前記モジュールブラケット及び前記ドアレールは、プラスチック素材で一体に射出成形されるされることを特徴とする。
【００１０】
前記マウンティングブラケットは、直角プレート形状に形成され、その長手方向に沿った両側先端部が、前記ドアインナーパネルに車両の高さ方向に上部及び下部で締結され、前記ドアレールの前記前方先端部及び前記後方先端部は、それぞれ前記マウンティングブラケットと前記ドアインナーパネルとの間に挿入されて支持されることを特徴とする。
【発明の効果】
【００１６】
本発明の車両用スライディングドアのモジュール構造によれば、スライディングドアのスライド運動をガイドするドアレールが、モジュールブラケットに一体化されてドアインナーパネルに装着されることにより、スライディングドアの組立性及び生産性を向上させることができる。
ドアレールは、スライディングドアの幅方向、すなわち、車両の長手方向に沿って前後に延びるようにスライディングドアに装着されると共に、スライディングドアの高さ方向、すなわち、車両の高さ方向にほぼ中央部位付近に配置されて、スライディングドアの構造的な剛性を増大させることによって、従来、側面衝突に対応するためにドアに装着されたインパクトビームが不要となるので、スライディングドアの部品数、重量及び原価節減を図ることができる。
また、ドアレールにはスライダをガイドする丸棒形状の２つの上下ガイドレールが備わって、スライダが２つの上下ガイドレールに沿って安定したスライド運動が可能なので、スライディングドアの開閉作動性が向上する。
【図面の簡単な説明】
【００１７】
【図１】本発明の実施形態による車両用スライディングドアのモジュール構造の正面図である。
【図２】本発明の実施形態による車両用スライディングドアのモジュール構造の後方部分斜視図である。
【図３】本発明の実施形態による車両用スライディングドアのモジュール構造の前方部分斜視図である。
【図４】本発明の実施形態によるドアレールの側面図である。
【発明を実施するための形態】
【００１８】
本発明の実施形態について、添付の例示図面を参照して詳細に説明する。
図１に示す通り、本発明の実施形態による車両用スライディングドアのモジュール構造が適用される車両用スライディングドア１０は、ドアインナーパネル１２がドアアウターパネル１４と結合して、ドアの骨格を形成する。
本発明の実施形態による車両用スライディングドアのモジュール構造は、図示していないドアスピーカやドアウィンドウガラスレギュレータなどのドア関連部品が設置され、ドアインナーパネル１２に締結されて支持されるモジュールブラケット２０と、モジュールブラケット２０と一体形成されたドアレール３０とを含む。
モジュールブラケット２０とドアレール３０は、プラスチック素材で一体射出成形することができる。
上記のように、モジュールブラケット２０とドアレール３０が一体にモジュール化されて、車両の組立ラインに供給されると、スライディングドアの組立性及び生産性を向上させることができる。
【００１９】
ドアレール３０は、ドアインナーパネル１２より車室内側に突出するように形成され、ドアの幅方向、すなわち、車両の長手方向に沿って延びるように形成される。車両の長手方向に沿ったドアレール３０の前方先端部３１及び後方先端部３２は、それぞれドアインナーパネル１２にマウンティングブラケット４０を通じて装着されて支持される。
マウンティングブラケット４０は、ほぼ直角プレート形状に形成され、その長手方向に沿った両端部が車両の高さ方向の上部及び下部でドアインナーパネル１２に締結される。ドアレール３０の前方先端部３１と後方先端部３２は、それぞれマウンティングブラケット４０とドアインナーパネル１２との間に挿入されて支持される。
ドアレール３０は、車両の長手方向に沿って前後に延びるように形成されて、ドアの高さ方向のほぼ中央部付近に配置されることにより、スライディングドア１０の剛性を増大させて、車両の側面衝突に効果的に対応できるので、従来、ドアの側面衝突に対応するために装着されていたインパクトビームなどが不要となる。これにより、スライディングドアの部品数、重量及び原価の節減を図ることができる。
【００２０】
ドアレール３０には、スライダ５０がドアレール３０に沿って移動可能に結合され、スライダ５０には、スイングアーム６０の一端が相対回転可能にピンにより締結され、スイングアーム６０の他端は、図示していない車体にピンにより相対回転可能に締結される。
これにより、スライディングドア１０が車体にスイングアーム６０を通じて回転可能に支持され、スライダ５０に結合されたドアレール３０を介して車両の長手方向に沿って前後にスライドして、車体に形成されるドア開口部を開閉する。
図２及び図３に示す通り、ドアレール３０は、ほぼ直角ブロック形状をしたレールボディと、レールボディに一体に形成されて、ドアの高さ方向上部に配置された上部ガイドレール３４と、下部に配置された下部ガイドレール３６とをそれぞれ含む。
【００２１】
上部ガイドレール３４と下部ガイドレール３６は、それぞれ丸棒形状に形成されてもよく、図４に示すように、剛性を増大させるために補強部材として、例えば、鉄芯３８がそれぞれインサートされてもよい。  スライダ５０は、上部ガイドレール３４と下部ガイドレール３６がそれぞれ挿入される２つのスライダブロック５２と、２つのスライダブロック５２にそれぞれインサートされて、上部ガイドレール３４と下部ガイドレール３６にそれぞれ接触してローリング移動する複数個のローラ５４と、２つのスライダブロック５２を連結して固定し、スイングアーム６０の一端がピン６２により締結される支持ブラケット５６とをそれぞれ含む。  上記のように、ドアレール３０には、スライダ５０をガイドする丸棒形状の２つの上部ガイドレール３４及び下部ガイドレール３６が備えられて、スライダ５０が２つの上部ガイドレール３４及び下部ガイドレール３６に沿って安定したスライド運動が可能なので、スライディングドアの開閉機能が向上する。
【００２２】
図３，４に示す通り、マウンティングブラケット４０には、上部ガイドレール３４と下部ガイドレール３６がそれぞれ挿入されて移動しないように支持される。そして、ほぼ円弧形状の２つの支持溝４２と、２つの支持溝４２の間に配置されて、レールボディに面着してレールボディが動かないように支持する支持フランジ４４と、支持溝４２からそれぞれ延びるように形成されて、ドアインナーパネル１２に締結される締結フランジ４６とをそれぞれ含む。
上記のようなマウンティングブラケット４０の支持溝４２及び支持フランジ４４により、ドアレール３０をドアインナーパネル１２に装着して支持させることができる。
【００２３】
以上、本発明は、好ましい実施例を図によって説明したが、本発明は前述した特定の実施例に限定されるものではなく、本発明が属する技術分野を逸脱しない範囲での全ての変更が含まれる。
【符号の説明】
【００２４】
１０  スライディングドア
１２  ドアインナーパネル
１４  ドアアウターパネル
２０  モジュールブラケット
３０  ドアレール
３１  前方先端部
３２  後方先端部
３４  上部ガイドレール
３６  下部ガイドレール
３８  鉄芯
４０  マウンティングブラケット
５０  スライダ
６０  スイングアーム
【図１】
0006660704.tif 000002
【図２】
0006660704.tif 000003
【図３】
0006660704.tif 000004
【図４】
0006660704.tif 000005